(57)【要約】【課題】手差し給紙装置回りでのジャム処理が容易な画像形成装置を提供する。【解決手段】複写機本体１ａに、固定用紙ガイド３２、及びこのガイド３２に対して開閉されるように下端部を支点に回動可能に設けられた可動用紙ガイド３３，３４を有して、下方位置の給紙部１Ｂから取出された用紙を上方位置の画像形成部に導く搬送路１９を設ける。この搬送路１９のジャム処理の際に開かれる開閉カバー５１を、このカバー５１の下端部を支点に複写機本体１ａに回動可能に取付ける。可動用紙ガイド３３，３４の開き側にこのガイドと対向して配置されて搬送路１９に手差し用紙を導く手差し用紙導入部６２，６３を有した手差し給紙装置６１を複写機本体１ａに取付ける。この給紙装置６１を、手差しでの搬送路１９への給紙を可能とする第１位置と、ジャム処理の際に可動用紙ガイド３３，３４の可動領域に外れる第２位置とにわたって移動可能に設ける。【選択図】    図４
2005031377.tif 000002
【特許請求の範囲】
【請求項１】
上部に画像形成部が内蔵された装置本体と、
この装置本体の下部に設けられた給紙部と、
固定用紙ガイド、及びこの固定用紙ガイドに対して開閉されるように下端部を支点に回動可能に設けられた可動用紙ガイドを有して、前記給紙部から取出された用紙を前記画像形成部に導く搬送路と、
下端部を支点に前記装置本体に回動可能に設けられ前記搬送路のジャム処理の際に開かれる開閉カバーと、
前記可動用紙ガイドの開き側にこのガイドと対向して配置されて前記搬送路に手差し用紙を導く手差し用紙導入部を有し、手差しでの前記搬送路への給紙を可能とする第１位置及び前記ジャム処理の際に前記可動用紙ガイドの可動領域から外れる第２位置にわたって前記装置本体に移動可能に設けられた手差し給紙装置と、
を具備した画像形成装置。
【請求項２】
請求項１に記載の画像形成装置において、前記開閉カバーを被う自動両面装置ユニットが、その下端部を支点に回動可能に前記装置本体に取付けられており、この自動両面装置ユニットの開閉に、前記開閉カバーの閉じ動作と、前記手差し用紙導入部の前記第１、第２の位置にわたる往復移動とが夫々連動して行なわれるとともに、前記開閉カバーの開閉に前記可動用紙ガイドの開閉が連動して行なわれるようになっている。
【発明の詳細な説明】
【０００１】
【発明の属する技術分野】
本発明は、手差し給紙装置を備えた電子写真複写機等の画像形成装置に関する。
【０００２】
【従来の技術】
従来、装置本体の上部に画像形成部を内蔵し、この下方に給紙部を設けるとともに、この給紙部より上側に手差し給紙装置を設け、この手差し給紙装置から供給された手差し用紙を、給紙部から取出された用紙を画像形成部に導く搬送路の途中に送り込み、この搬送路を通して画像形成部に供給することが可能な画像形成装置が知られている（例えば特許文献１参照。）。
【０００３】
【特許文献１】
特開２００２−２６５０７２号公報（段落００２０−００３２、段落００３８−００４０、図１−図４）
【０００４】
【発明が解決しようとする課題】
特許文献１の画像形成装置では、手差し給紙装置回りのジャム処理に付いては記載がなく、手差し給紙装置は搬送路のジャム処理に対応して変位するようには構成されていない。
【０００５】
ところで、給紙部から画像形成部に至る搬送路の一部が、手差し給紙装置からみてこの装置の裏側に設けられている構成では、この一部搬送路でのジャム処理を可能とするための開閉カバーが装置本体に取付けられる。このような構成の画像形成装置を図７に示す。
【０００６】
図７中符号１１１は装置本体、符号１１２は画像形成部、符号１１３は給紙部、符号１１４は手差し用紙１１５が載置される手差しトレイ１１４ａを有した手差し給紙装置、符号１１６は開閉カバーを夫々示している。手差し給紙装置１１４は給紙部１１３より高い位置に設けられている。開閉カバー１１６はその下端部を支点として回動可能に装置本体１１１に取付けられている。図７中符号点線矢印は、給紙部１１３から画像形成部１１２に至る用紙の搬送路を示している。
【０００７】
この開閉カバー１１６の回動により、手差し給紙装置１１４より上方に設けられている搬送路の一部が開閉されるので、必要により開閉カバー１１６を開放してジャム処理ができる。しかし、既述の特許文献１と同様に手差し給紙装置１１４はジャム処理に対応して変位するようにはなっていない。
【０００８】
このため、搬送路に詰まっている用紙を取除くジャム処理をする場合に、開閉カバー１１６を開いても手差し給紙装置１１４が邪魔になる。したがって、給紙部１１３から開閉カバー１１６の支点にわたる搬送領域（この領域の搬送方向に長さを図７中に符号Ｘで示す。）に詰まった用紙を取除くことが難しく、その改善が望まれている。
【０００９】
本発明が解決しようとする課題は、手差し給紙装置回りでのジャム処理が容易な画像形成装置を提供することにある。
【００１０】
【課題を解決するための部】
前記課題を解決するために、本発明は、装置本体の下部の給紙部から取出された用紙を上部の画像形成部に導く搬送路のジャム処理の際に開かれる開閉カバーを、このカバーの下端部を支点に装置本体に回動可能に設けるとともに、搬送路が、固定用紙ガイド、及びこの固定用紙ガイドに対して開閉されるように下端部を支点に回動可能に設けられた可動用紙ガイドを有した構成とし、可動用紙ガイドの開き側にこのガイドと対向して配置されて搬送路に手差し用紙を導く手差し用紙導入部を有した手差し給紙装置を、手差しでの搬送路への給紙を可能とする第１位置と、ジャム処理の際に可動用紙ガイドの可動領域から外れる第２位置とにわたって装置本体に移動可能に設けている。
【００１１】
本発明では、開閉カバーを開いて搬送路のジャム処理を行う場合、搬送路が有した可動用紙ガイドの可動領域から外れた第２位置に、手差し給紙装置の手差し用紙導入部を退避させることができる。これにより、手差し用紙導入部に妨げられることなく、可動用紙ガイドを固定用紙ガイドから開くことが可能となるので、手差し給紙装置がジャム処理の邪魔となることが抑制され、搬送路の給紙部間近に詰まった用紙を容易に取除くことが可能である。
【００１２】
【発明の実施の形態】
以下、図１〜図４を参照して本発明の第１実施形態を説明する。
【００１３】
図１及び図２中符号１ａは画像形成装置例えば電子写真複写機１が備える装置本体としての複写機本体を示している。複写機本体１ａの上部には画像形成部１Ａが内蔵され、複写機本体１ａの下部には複数の給紙カセット２４を有した給紙部１Ｂが設けられている。
【００１４】
複写機本体１ａの内部構造を示す図２を参照して画像形成部１Ａを説明する。
【００１５】
複写機本体１ａ内には、像担持体としての感光体ドラム２が回転自在に設けられている。感光体ドラム２の周囲部には、その回転方向に沿って、感光体ドラム２の表面を所定の電位に帯電させる帯電ユニット５、静電潜像を現像するモノクロ用の現像装置８Ｂ、カラー用の回転式現像装置８Ａ、現像剤像を一時的に転写させる中間転写ベルト３、及び感光体ドラム２上の残留トナーを除去するクリーナ６が配設されている。
【００１６】
カラー用の回転式現像装置８Ａは、イエロートナーを供給する第１の現像部８ａ、シアントナーを供給する第２の現像部８ｂ、マゼンタトナーを供給する第３の現像部８ｃを有している。
【００１７】
中間転写ベルト３は、第１乃至第４のローラ３ａ〜３ｄ間に所定の張力で掛け渡され、１次転写ローラ１２によって感光体ドラム２に押し付けられている。中間転写ベルト３の第１のローラ３ａに巻き付けられる部分には、中間転写ベルト３をクリーニングするクリーナ１５ａが接触されている。
【００１８】
現像装置８Ａ、８Ｂの下方部には感光体ドラム２上に静電潜像を形成する露光装置４が設けられている。
【００１９】
露光装置４の下方には給紙カセット２４を収容した給紙部１Ｂが設けられている。給紙カセット２４には用紙を取出すピックアップローラ７が設けられている。ピックアップローラ７によって取出される用紙は、給紙ローラ１５と分離ローラ１６によって一枚ずつ分離されて送り出され、搬送路１９に沿って搬送されるようになっている。
【００２０】
搬送路１９は、複写機本体１ａの一側壁１ａｗ（図１及び図３参照）に寄せて、この一側壁１ａｗに沿うように上下方向に延びて設けられている。一側壁１ａｗは搬送路１９を露出させてジャム処理を行うための開口を有している。
【００２１】
搬送路１９中には、用紙の搬送方向に沿って、後述する用紙ガイド対３１、搬送ローラ対９、レジストローラ対１７、２次転写ローラ１１が順次配設されている。レジストローラ対１７は、搬送されてくる用紙を一旦停止させ、搬送方向に対する用紙の傾きを修正するとともに、用紙の先端と中間転写ベルト３上のトナー像の先端とを一致させる。
【００２２】
２次転写ローラ１１の用紙搬送方向下流側には、用紙に転写されたトナー像を用紙に定着する定着器１３が配設されている。定着器１３は加熱ローラ１３ａと加圧ローラ１３ｂとを有して構成されている。
【００２３】
定着器１３の用紙搬送方向下流側には用紙を排出させる排出ローラ２０が設けられている。排出ローラ２０の搬出側には排出される用紙を受ける排出トレイ２１が設けられている。
【００２４】
前記構成を備えた電子写真複写機１の印刷動作について説明する。
【００２５】
まず、図示しない原稿搬送ユニットに原稿をセットし、図示しない操作パネルのコピーボタンをオンする。これにより、原稿が搬送されてセットされるとともに、読取装置（図示しない）により光学的に読み取られる。この時、感光体ドラム２の表面は帯電ユニット５によって一様に帯電される。そして、この帯電された感光体ドラム２上に露光装置４によって読取情報に応じた情報光が照射されて静電潜像が形成される。
【００２６】
この静電潜像は感光体ドラム２の回転により現像装置８Ｂ或いは現像装置８Ａに送られるので、現像装置８Ｂから黒色のトナーが供給され、或いは、現像装置８Ａからシアン、マゼンタ、イエローの各トナーが供給されて現像される。現像されたトナー像は、感光体ドラム２の回転により中間転写ベルト３上に送られて１次転写ローラ１２によって１次転写される。この転写後、感光体ドラム２は除電器（図示しない）で光除電される。感光体ドラム２上に残ったトナーはクリーナ６でクリーニングされる。
【００２７】
一方、以上の動作とタイミングを合わせて、給紙カセット２４から搬送路１９を通じて供給される用紙が、中間転写ベルト３と２次転写ローラ１１との間に送込まれる。この用紙には中間転写ベルト３上のトナー像が２次転写される。転写後、用紙は中間転写ベルト３から剥離されて定着器１３に送られ、トナー像が定着器１３で加熱されるとともに加圧されて定着される。この定着後、用紙は排出ローラ２０を介して外部に排出され、排出トレイ２１上に載置される。
【００２８】
図３及び図４に示すように前記搬送路１９が備える用紙ガイド対３１は、固定用紙ガイド３２と、上下一対の可動用紙ガイド３３、３４とを有している。用紙ガイド対３１の下端部に作られる入口３１ａは、給紙ローラ１５及び分離ローラ１６のローラ対の用紙搬出側に位置してこのローラ対に近接されている。固定用紙ガイド３２はガイド板で作られている。
【００２９】
下位置の可動用紙ガイド３４は、その下端部を支点に回動可能に複写機本体１ａに取付けられている。図３、図４中符号３５は可動用紙ガイド３４の支点をなす枢軸を示している。可動用紙ガイド３４は、固定用紙ガイド３２の下部に対向して配設されている。
【００３０】
上位置の可動用紙ガイド３３の下端部と可動用紙ガイド３４の上端部とは枢軸３６により連結されていて、この枢軸３６を支点に可動用紙ガイド３３は可動用紙ガイド３４に対して自由に回動可能である。可動用紙ガイド３３は、固定用紙ガイド３２の上部に対向して配設されている。可動用紙ガイド３３の固定用紙ガイド３２に対向する一側面は、給紙部１Ｂからの用紙を導く第１の用紙ガイド面をなしている。この一側面と反対側に位置した可動用紙ガイド３３の他側面は、手差し用紙Ｐ（図１参照）を導く第２の用紙ガイド面をなしている。第２の用紙ガイド面には、手差し用紙Ｐの搬送を妨げない位置に連動用の係合凸部３７が設けられている。係合凸部３７は枢軸３６より上方に位置されている。
【００３１】
上下一対の可動用紙ガイド３３、３４は、その重量バランスにより図３中において時計回りに倒れ勝手になっている。言い換えれば、用紙ガイド対３１は、開き勝手に作られている。
【００３２】
なお、図３及び図４中符号４１、４２は、相対向して給紙部１Ｂ内に上下方向に延びて設けられた固定の用紙ガイドを示している。これら用紙ガイド４１、４２に作られる給紙部内搬送路の上端は、用紙ガイド対３１の入口３１ａに連通している。したがって、この搬送路を通って上昇する給紙カセット２４からの用紙が用紙ガイド対３１に搬入されるようになっている。
【００３３】
複写機本体１ａには、その一側壁１ａｗの開口を開閉する開閉カバー５１と、手差し給紙装置６１と、開閉カバー５１を被う自動両面装置ユニット８１とが取付けられている。
【００３４】
開閉カバー５１は、その下端部を支点に、図３に示した閉じ位置と図４に示した開き位置とにわたって回動可能に取付けられている。図３、図４中符号５２は開閉カバー５１の支点をなす枢軸を示している。枢軸５２は前記枢軸３５、３６より上方に位置されている。この開閉カバー５１の上端部にはマグネット５３が取付けられていて、このマグネット５３を複写機本体１ａに設けた鉄片５４に磁気吸着させることによって、開閉カバー５１が一側壁１ａｗの開口を閉じる閉じ位置に保持される。閉じ位置の開閉カバー５１は手操作によって開くことができる。
【００３５】
この開閉カバー５１の上部には前記２次転写ローラ１１が支持されている。開閉カバー５１は、その下部に用紙ガイド５１ａを有している。この用紙ガイド５１ａは、開閉カバー５１が閉じ位置に配置されている時に、可動用紙ガイド３３の前記第２の用紙ガイド面と接近して対向する。用紙ガイド５１ａには、枢軸５２より上方でかつ手差し用紙Ｐの搬送を妨げない位置に連動用の係合凸部５５が設けられている。この係合凸部５５は前記係合凸部３７に接離可能である。すなわち、係合凸部５５は開閉カバー５１が開き位置に配置された状態では係合凸部３７から離される。この逆に、開閉カバー５１が開き位置から閉じ位置に向けて回動されるに伴って、係合凸部５５は、係合凸部３７に接触し、この接触後は接触状態を維持して可動用紙ガイド３３、３４を固定用紙ガイド３２に接する方向に回動させるようになっている。
【００３６】
開閉カバー５１はその下部に用紙通路５６を有している。この用紙通路５６は自動両面装置ユニット８１により導かれる両面印刷される用紙を、レジストローラ対１７に向けて案内するようになっている。
【００３７】
手差し給紙装置６１は、装置フレーム６１ａに夫々取付けられた上部の手差し用紙導入部６２と、下部の手差し用紙導入部６３と、手差しトレイ６４とを備えている。上下に対をなした手差し用紙導入部６２、６３は、手差しトレイ６４から手で差込まれる手差し用紙Ｐを搬送路１９の途中に導くために、可動用紙ガイド３３、３４の開き側に設けられている。下部の手差し用紙導入部６３は手差し用紙を導く斜状の導入ガイド壁６５を有している。手差し用紙導入部６３には導入ガイド壁６５の中間部に露出する分離ローラ６６が取付けられている。上部の手差し用紙導入部６２には分離ローラ６６に転接する給紙ローラ６７が取付けられている。
【００３８】
手差し用紙導入部６２、６３は、図３に示す第１位置、つまり、搬送路１９への手差しでの給紙を可能とするセット位置と、図４に示す第２位置、つまりジャム処理の際に可動用紙ガイド３３、３４の可動領域から外れた退避位置とにわたって、水平方向に往復移動可能に設けられている。第１位置に手差し用紙導入部６２、６３が配置された状態では、可動用紙ガイド３３の前記第２の用紙ガイド面と用紙ガイド５１ａとの間の通路の下端に導入ガイド壁６５の傾斜上端が配置されて、導入ガイド壁６５に導かれる手差し用紙Ｐが前記通路を通って搬送路１９に導かれることが可能となっている。
【００３９】
手差し用紙導入部６３には可動用紙ガイド３４に接離する押圧部６５ａが設けられている。この押圧部６５ａは例えば導入ガイド壁６５の傾斜上端部から下方に折れ曲がった部分で作られている。押圧部６５ａは、前記第１位置に手差し用紙導入部６２、６３が配置されることに伴い、可動用紙ガイド３４の受け部３４ａに押圧されて用紙ガイド対３１を閉じ状態に保持する。又、押圧部６５ａは、前記第２位置に手差し用紙導入部６２、６３が配置されることに伴い、受け部３４ａから離れて用紙ガイド対３１が開かれることを可能とする。
【００４０】
手差し用紙導入部６２、６３を一体に往復移動させるために、平行リンク機構をなす４本のリンク７１が設けられている。リンク７１は手差し給紙装置６１の幅方向両側に夫々２本ずつ設けられている。各リンク７１は、その上端部を手差し用紙導入部６３に枢着するとともに、下端部を前記一側壁１ａｗに取付けたブラケット７２に枢着して取付けられている。
【００４１】
手差しトレイ６４は、水平となる使用位置と、垂直となる非使用位置とにわたって枢軸７４を支点に回動可能に設けられている。この回動は手動でなされる。使用位置に配置された手差しトレイ６４は下部の手差し用紙導入部６３の傾斜下端に連続して配置される。このため、手差しトレイ６４上に置いた手差し用紙Ｐを、手で押し込むことで給紙できる。なお、図４中符号６４ａは手差しトレイ６４上の手差し用紙Ｐを位置決めするためのガイド板を示している。
【００４２】
前記構成を備えた手差し給紙装置６１は、図示しない付勢体により常に前記第２位置に向けて付勢されている。付勢体にはコイルばねを用いることができる。このコイルばねは、その一端をリンク７１の下端をブラケット７２に支持している固定の枢軸に接続するとともに、他端を装置フレーム６１ａに接続して、圧縮状態に保持することによって、その弾性反発力で手差し給紙装置６１を付勢して設けられる。
【００４３】
自動両面装置ユニット８１は、両面印刷される用紙を搬送するための反転搬送路８２を有している。自動両面装置ユニット８１その下端部を支点に回動可能に複写機本体１ａに取付けられている。図３、図４中符号８３は自動両面装置ユニット８１の支点をなす枢軸を示している。
【００４４】
自動両面装置ユニット８１は、図３に示すように前記一側壁１ａｗに取付け保持される閉じ位置と、図４に示す開き位置とにわたって回動できる。この回動は手動でなされる。自動両面装置ユニット８１は開閉カバー５１を被って閉じ位置に配置され、この閉じ位置において反転搬送路８２の出口８２ａが開閉カバー５１の用紙通路５６に連通するようになっている。自動両面装置ユニット８１は、その出口８２ａよりも突出する連動凸部８４を有している。この連動凸部８４は、自動両面装置ユニット８１を開き位置から閉じ位置に回動させた場合に、開閉カバー５１にその外面側から当たって、開閉カバー５１を閉じさせるようになっている。
【００４５】
枢軸８３に支持される自動両面装置ユニット８１の回動レバー８５（一方のみ図４に図示する。）には、フック状をなす連動部材８６が取付けられている。この連動部材８６は、自動両面装置ユニット８１の回動に伴って、上部の手差し用紙導入部６２に設けた図示しない連動ピンに係脱可能である。すなわち、自動両面装置ユニット８１が図３に示す閉じ位置に配置された状態では、連動部材８６の凹部８６ａに連動ピンが入り込んだ状態に係合される。この係合によって手差し給紙装置６１が前記第１位置にコイルばねの付勢力に抗して保持されるようになっている。又、自動両面装置ユニット８１が図４に示す開き位置に配置された状態では、連動ピンから連動部材８６が外れて、それに伴い手差し給紙装置６１が前記第２位置にコイルばねの付勢力で押出されるようになっている。
【００４６】
電子写真複写機１の通常の状態では、図３に示すように用紙ガイド対３１が閉じているとともに、開閉カバー５１及び自動両面装置ユニット８１が夫々閉じ位置に配置されており、かつ、手差し給紙装置６１が第１位置（セット位置）に配置されていて、その手差しトレイ６４は自動両面装置ユニット８１の下部外面に重なるように略垂直に立てられている。
【００４７】
この通常状態では、給紙部１Ｂの給紙カセット２４内の用紙を画像形成部１Ａに給紙して印刷できる。この印刷で両面印刷が指定された場合、片面に印刷が施された用紙が、自動両面装置ユニット８１の反転搬送路８２を通って、再び搬送路１９を経由して画像形成部１Ａに給紙され、両面印刷がなされる。
【００４８】
手差しによる給紙が必要な場合には、図３中２点鎖線で示すように手差しトレイ６４を水平な姿勢となるように倒してから、このトレイ６４に載せた手差し用紙Ｐを押込むことにより、搬送路１９を経由して画像形成部１Ａに手差し用紙Ｐを給紙して印刷できる。
【００４９】
以上の印刷において搬送路１９に用紙が詰まった場合には、この詰まった用紙を取除くジャム処理を以下の手順で行うことができる。
【００５０】
まず、手差しトレイ６４を水平位置に手で倒してから、閉じ位置に配置されている自動両面装置ユニット８１を手で回動させて開き位置に配置させる。この回動に伴い、連動部材８６と手差し給紙装置６１の連動ピンとの係合が外れるので、手差し給紙装置６１は用紙ガイド対３１から離間するように水平移動して第２位置（退避位置）に配置される。これにより、下部の手差し用紙導入部６３の押圧部６５ａによる可動用紙ガイド３４の押圧が解除される。又、この状態で、自動両面装置ユニット８１の反転搬送路等に詰まっている用紙に対するジャム処理が可能となる。
【００５１】
次に、閉じ位置に配置されている開閉カバー５１を手で回動させて開き位置に配置させる。これに伴い、この開閉カバー５１の係合凸部５５が上部の可動用紙ガイド３３の係合凸部３７から外れるので、開閉カバー５１による可動用紙ガイド３３の拘束が解除される。このため、上下の可動用紙ガイド３３、３４が、その重量バランスより開閉カバー５１の開放に追従して固定用紙ガイド３２から離れる。つまり、用紙ガイド対３１が自動的にその上側を大きく離すように開かれる。こうしてジャム処理が可能となった状態を図４に示す。
【００５２】
以上のように自動両面装置ユニット８１を開いてから、開閉カバー５１を開くという作業に連動して、用紙ガイド対３１から手差し給紙装置６１を退避させるとともに、用紙ガイド対３１を開かせることができる。したがって、手差し給紙装置６１の退避操作及び用紙ガイド対３１の開放操作が不要であり、搬送路１９を開放する手間が簡単である。
【００５３】
しかも、手差し給紙装置６１からみてその手差し用紙導入部６２、６３の投影領域に殆どの部分が配置されている用紙ガイド対３１、言い換えれば、手差し給紙装置６１からみてその裏側に配置されている搬送路１９の用紙ガイド対３１を、既述のように手差し給紙装置６１に邪魔されることなく開閉カバー５１の開放に連動して開くことができる。そして、こうして開かれる用紙ガイド対３１の下端の入口３１ａは、給紙カセット２４の出口に近い位置に設けられている。
【００５４】
したがって、搬送路１９の給紙部１Ｂ間近に詰まった用紙を容易に取除くことが可能である。
【００５５】
このジャム処理後には、自動両面装置ユニット８１を閉じ位置に戻すことにより、図３に示す状態とできる。この場合、閉じられる自動両面装置ユニット８１が、その連動凸部８４で開閉カバー５１を押して、このカバー５１を連動して閉じることができる。これとともに、閉じられる開閉カバー５１の係合凸部５５が可動用紙ガイド３３の係合凸部３７に接触するので、可動用紙ガイド３３が固定用紙ガイド３２に向けて押される。この一方で、閉じられる自動両面装置ユニット８１の連動部材８６が手差し給紙装置６１の図示しない連動ピンに係合し、手差し給紙装置６１が用紙ガイド対３１に向けて寄せられて、押圧部６５ａが可動用紙ガイド３４の受け部３４ａに当たるので、可動用紙ガイド３４を固定用紙ガイド３２に向けて押される。
【００５６】
これにより、用紙ガイド対３１が自動的に閉じられるとともに、手差し給紙装置６１の手差し用紙導入部６２、６３が手差し用紙Ｐを搬送路１９に給紙することが可能な状態に配置される。
【００５７】
以上のように前記電子写真複写機１でのユーザによる搬送路１９のジャム処理は、多くの手間を要することなく、しかも、給紙部１Ｂに近い奥深い場所に対すしても容易に実行できる。このジャム処理において、手差し給紙トレイ６４に手差し用紙Ｐが載置されていても、手差し給紙装置６１は水平移動するので、手差し用紙Ｐが脱落することがなく、この用紙Ｐを取除く手間を要しない。
【００５８】
なお、本発明は前記第１実施形態には制約されず、図５に示す第２実施形態又は図６に示す第３実施形態のように実施できる。これらの実施形態は基本的には第１実施形態と同じ構成であるので、同じ構成については第１実施形態と同じ符号を付して、その構成および作用の説明を省略し、以下異なる部分について説明する。
【００５９】
図５に示す第２実施形態では、複写機本体１ａに枢支された開閉カバー５１の下部に手差し給紙装置６１を取付けている。これにより、閉じ位置と開き位置とにわたる開閉カバー５１の回動に連動して、図５中２点鎖線で示すセット位置と実線で示す退避位置とにわたって手差し給紙装置６１を往復移動させることができる。この手差し給紙装置６１が退避位置に配置された際には、第１実施形態で説明した係合凸部同士の接触が解除されるので用紙ガイド対が開かれ、手差し給紙装置６１がセット位置に配置された際には、手差し給紙装置６１が用紙ガイド対の下部の可動用紙ガイドが押されて、用紙ガイド対が閉じられるようになっている。なお、以上説明した事項以外の構成は第１実施形態と同じである。したがって、この第２実施形態でも、本発明の課題を解決できる。
【００６０】
図６に示す第３実施形態では、複写機本体１ａの一側壁１ａｗに水平方向に延びるガイドレール９１を突設し、このレール９１に手差し給紙装置６１を摺動可能に支持している。これにより、閉じ位置と開き位置とにわたる開閉カバー５１の回動に連動して、図６中２点鎖線で示すセット位置と実線で示す退避位置とにわたって手差し給紙装置６１を水平に往復移動させることができる。この手差し給紙装置６１が退避位置に配置された際には、第１実施形態で説明した係合凸部同士の接触が解除されるので用紙ガイド対が開かれ、手差し給紙装置６１がセット位置に配置された際には、手差し給紙装置６１が用紙ガイド対の下部の可動用紙ガイドが押されて、用紙ガイド対が閉じられるようになっている。なお、以上説明した事項以外の構成は第１実施形態と同じである。したがって、この第３実施形態でも、本発明の課題を解決できる。
【００６１】
【発明の効果】
本発明によれば、手差し給紙装置回りでのジャム処理が容易な画像形成装置を提供できる。
【図面の簡単な説明】
【図１】本発明の第１実施形態に係る電子写真複写機をその自動両面装着ユニットを省略して示す概略正面図。
【図２】図１の電子写真複写機の画像形成部回りを示す図。
【図３】図１の電子写真複写機の手差し給紙装置回りを非ジャム処理時の状態で示す断面図。
【図４】図１の電子写真複写機の手差し給紙装置回りをジャム処理時の状態で示す断面図。
【図５】本発明の第２実施形態に係る電子写真複写機を示す概略正面図。
【図６】本発明の第３実施形態に係る電子写真複写機を示す概略正面図。
【図７】従来の電子写真複写機を示す概略正面図。
【符号の説明】
１…電子写真複写機（画像形成装置）、１ａ…複写機本体（装置本体）、１Ａ…画像形成部、１Ｂ…給紙部、９…搬送ローラ対（搬送路要素）、１１…２次転写ローラ（搬送路要素）、１７…レジストローラ対（搬送路要素）、１９…搬送路、２４…給紙カセット、３１…用紙ガイド対、３２…固定用紙ガイド、３３…上部の可動用紙ガイド、３４…下部の可動用紙ガイド、３５…枢軸、３６…枢軸、３７…連動用の係合凸部、５１…開閉カバー、５２…枢軸、６１…手差し給紙装置、６２…上部の手差し用紙導入部、６３…下部の手差し用紙導入部、６４…手差しトレイ、Ｐ…手差し用紙、７４…枢軸、８１…自動両面装置ユニット、８３…枢軸、８４…連動凸部、８６…連動部材
【図１】
2005031377.tif 000003
【図２】
2005031377.tif 000004
【図３】
2005031377.tif 000005
【図４】
2005031377.tif 000006
【図５】
2005031377.tif 000007
【図６】
2005031377.tif 000008
【図７】
2005031377.tif 000009